(57)【要約】      （修正有）【課題】車いすで利用する際の利便性を向上できるトイレユニットを提供する。【解決手段】トイレユニット１は、トイレスペースＳ２、Ｓ３がコンテナ１００内に形成される。トイレスペースＳ２、Ｓ３には、腰掛便器１３、手摺１４、１５等が配設され、トイレスペースＳ２、Ｓ３の空間は、車いすで利用可能な大きさに形成され、通路Ｓ１の有効幅員が８５ｃｍに、トイレスペースＳ２、Ｓ３の回転スペースが直径１５５ｃｍに、それぞれ設定される。よって、車いすで利用する際の利便性を向上できる。手摺１４を跳ね上げると共に、ベビーチェア１６と、チェンジボード１７と、ベビーシート１８を折りたたむことで、車いすの回転スペースを更に大きくできる。【選択図】図１
0003228869.tif 000002
【実用新案登録請求の範囲】
【請求項１】
トイレスペースがコンテナ内に形成されたトイレユニットにおいて、
前記トイレスペースには、腰掛便器および手摺が配設され、前記トイレスペースの空間は、車いすで利用可能な大きさに形成されていることを特徴とするトイレユニット。
【請求項２】
前記手摺は、前記腰掛便器の便座に腰掛けた状態と車いすに乗車した状態の双方から手が届く位置に配設されることを特徴とする請求項１記載のトイレユニット。
【請求項３】
前記手摺は、跳ね上げ式の可動手摺を備えることを特徴とする請求項１又は２に記載のトイレユニット。
【請求項４】
前記トイレスペースは、オストメイト対応トイレとして構成されることを特徴とする請求項１から３のいずれかに記載のトイレユニット。
【請求項５】
前記トイレスペースには、ベビーチェア、ベビーシート又はチェンジボードの内の少なくとも一つが配設されることを特徴とする請求項１から４のいずれかに記載のトイレユニット。
【請求項６】
前記ベビーチェア、ベビーシート及びチェンジボードは、折りたたみ式であることを特徴とする請求項５記載のトイレユニット。
【請求項７】
前記コンテナには、出入口が形成され、その出入口には、前記出入口を開閉するスライドドアが配設されることを特徴とする請求項１から６のいずれかに記載のトイレユニット。
【請求項８】
前記出入口は、前記コンテナの長手方向に沿う側壁に形成され、
前記出入口と地上面との間を接続するスロープが前記側壁に併設されることを特徴とする請求項７記載のトイレユニット。
【請求項９】
前記コンテナには、開口が形成され、その開口には、ガラス窓が配設されることを特徴とする請求項１から８のいずれかに記載のトイレユニット。
【請求項１０】
前記コンテナは、第１の部屋と、その第１の部屋を前記コンテナの長手方向に挟んで位置する第２の部屋および第３の部屋とに区画され、前記第２の部屋および前記第３の部屋が前記トイレスペースとされることを特徴とする請求項１から９のいずれかに規制のトイレユニット。
【請求項１１】
前記コンテナには、出入口が形成され、その出入口を介して前記第１の部屋が外部に連通され、前記第１の部屋と前記第２の部屋とを区画する区画壁、及び、前記第１の部屋と前記第３の部屋とを区画する区画壁には、中折れ戸が配設されることを特徴とする請求項１０記載のトイレユニット。
【請求項１２】
前記コンテナには、前記コンテナの長手方向一側の妻壁と前記第２の部屋との間、又は、前記コンテナの長手方向他側の妻壁と前記第３の部屋との間の一方に第４の部屋が区画され、前記コンテナは、前記第４の部屋を区画する側の前記妻壁が開閉可能とされることを特徴とする請求項１０又は１１に記載のトイレユニット。
【請求項１３】
前記コンテナには、太陽光パネルが支持ブラケットを介して上面に配設され、前記支持ブラケットが前記コンテナに着脱可能に構成されることを特徴とする請求項１から１２のいずれかに記載のトイレユニット。
【請求項１４】
前記太陽光パネル及び前記支持ブラケットが前記コンテナに収納可能とされることを特徴とする請求項１３記載のトイレユニット。
【請求項１５】
前記コンテナの内壁面には、ウレタンが吹き付け施工されることを特徴とする請求項１から１４のいずれかに記載のトイレユニット。
【請求項１６】
前記コンテナの内壁面には、鋼材が縦および横に沿って配設されることを特徴とする請求項１から１５のいずれかに記載のトイレユニット。
【請求項１７】
前記コンテナには、前記コンテナの内部の天井、壁、及び、床を形成する内装材が配設され、前記コンテナの内壁面と前記内装材との間に断熱材が配設されることを特徴とする請求項１から１６のいずれかに記載のトイレユニット。
【請求項１８】
前記トイレスペースへ給水する水を貯留する受水槽と、前記トイレスペースから排出される排水を浄化する浄化槽とを備え、それら受水槽と浄化槽とが第２のコンテナに配設されることを特徴とする請求項１から１７のいずれかに記載のトイレユニット。
【請求項１９】
前記受水槽から前記トイレスペースへ水を給水する給水管と、前記トイレスペースから前記浄化槽へ水を排出する排出管とは、複数の管を接続して構成され、
前記第２のコンテナの側壁の外面には、凹部が凹設され、
前記管どうしの接続部分が前記凹部の凹設空間内に位置することを特徴とする請求項１８記載のトイレユニット。
【請求項２０】
前記第２のコンテナには、上面が開放して形成され前記浄化槽が収納される枠体が配設され、前記浄化槽と前記枠体との間に発泡体が充填されることを特徴とする請求項１８又は１９に記載のトイレユニット。
【請求項２１】
前記枠体の収納深さは、前記浄化槽の高さ寸法よりも低くされ、前記浄化槽の少なくとも上面側が前記発泡体から露出されていることを特徴とする請求項２０記載のトイレユニット。
【請求項２２】
前記枠体には、前記枠体の底面に一端および他端が連結されるベルトが配設され、前記ベルトの一端および他端の間が前記浄化槽の上面に架設されることを特徴とする請求項２０又は２１に記載のトイレユニット。
【請求項２３】
前記ベルトは、ラチェット式のタイダウンにより構成されることを特徴とする請求項２２記載のトイレユニット。
【請求項２４】
前記コンテナは、海上コンテナであることを特徴とする請求項１から２３のいずれかに記載のトイレユニット。
【考案の詳細な説明】
【技術分野】
【０００１】
本考案は、トイレユニットに関し、特に、車いすで利用する際の利便性を向上できるトイレユニットに関する。
【背景技術】
【０００２】
災害時、避難者等が利用するための仮設トイレが被災地に設置される。このような仮設トイレとして、コンテナ内にトイレスペースを形成し、車両や船舶で搬送可能なトイレユニットして構成したものが知られている（特許文献１）。
【先行技術文献】
【特許文献】
【０００３】
【特許文献１】実用新案登録第３２２０７１２号
【考案の概要】
【考案が解決しようとする課題】
【０００４】
しかしながら、上述した従来の技術では、トイレスペースが狭く、車いすで利用する際の利便性が悪いという問題点があった。
【０００５】
本考案は、上述した問題点を解決するためになされたものであり、車いすで利用する際の利便性を向上できるトイレユニットを提供することを目的とする。
【課題を解決するための手段】
【０００６】
この目的を達成するために本考案のトイレユニットは、トイレスペースがコンテナ内に形成されたものであり、前記トイレスペースには、腰掛便器および手摺が配設され、前記トイレスペースの空間は、車いすで利用可能な大きさに形成されている。
【考案の効果】
【０００７】
請求項１記載のトイレユニットによれば、トイレスペースには、腰掛便器および手摺が配設され、トイレスペースの空間は、車いすで利用可能な大きさに形成されているので、車いすで利用する際の利便性を向上できる。
【０００８】
請求項２記載のトイレユニットによれば、請求項１記載のトイレユニットに加え、手摺は、腰掛便器の便座に腰掛けた状態と車いすに乗車した状態の双方から手が届く位置に配設されるので、車いすで利用する際の利便性を向上できる。
【０００９】
請求項３記載のトイレユニットによれば、請求項１又は２に記載のトイレユニットの奏する効果に加え、手摺は、跳ね上げ式の可動手摺を備えるので、手摺を跳ね上げておくことで、車いすの移動や介助の際に必要なスペースを確保しやすくできる。
【００１０】
請求項４記載のトイレユニットによれば、請求項１から３のいずれかに記載のトイレユニットの奏する効果に加え、トイレスペースは、オストメイト対応トイレとして構成されるので、オストメイトの利便性を向上できる。
【００１１】
請求項５記載のトイレユニットによれば、請求項１から４のいずれかに記載のトイレユニットの奏する効果に加え、トイレスペースには、ベビーチェア、ベビーシート又はチェンジボードの内の少なくとも一つが配設されるので、利便性を向上できる。
【００１２】
請求項６記載のトイレユニットによれば、請求項５記載のトイレユニットの奏する効果に加え、ベビーチェア、ベビーシート及びチェンジボードは、折りたたみ式であるので、これらを折りたたむことで、車いすの移動や介助の際に必要なスペースを確保しやすくできる。
【００１３】
請求項７記載のトイレユニットによれば、請求項１から６のいずれかに記載のトイレユニットの奏する効果に加え、コンテナには、出入口が形成され、その出入口には、出入口を開閉するスライドドアが配設されるので、開放したドアが出入りの邪魔になることを回避できる。
【００１４】
請求項８記載のトイレユニットによれば、請求項７記載のトイレユニットの奏する効果に加え、出入口は、コンテナの長手方向に沿う側壁に形成され、出入口と地上面との間を接続するスロープが側壁に併設されるので、スロープの長さを確保して、車いすでの出入りを容易とできると共に、一定のスペース内に複数のトイレユニットをより多く配設できる。
【００１５】
請求項９記載のトイレユニットによれば、請求項１から８のいずれかに記載のトイレユニットの奏する効果に加え、コンテナには、開口が形成され、その開口には、ガラス窓が配設されるので、トイレスペースの採光を確保できる。
【００１６】
請求項１０記載のトイレユニットによれば、請求項１から９のいずれかに記載のトイレユニットの奏する効果に加え、コンテナは、第１の部屋と、その第１の部屋をコンテナの長手方向に挟んで位置する第２の部屋および第３の部屋とに区画され、第２の部屋および第３の部屋がトイレスペースとされるので、長尺形状のコンテナ内のスペースを有効活用して、トイレスペースの大きさを確保しやすくできる。
【００１７】
請求項１１記載のトイレユニットによれば、請求項１０記載のトイレユニットの奏する効果に加え、コンテナには、出入口が形成され、その出入口を介して第１の部屋が外部に連通され、第１の部屋と第２の部屋とを区画する区画壁、及び、第１の部屋と第３の部屋とを区画する区画壁には、中折れ戸が配設されるので、コンテナの出入口を１箇所として、コストを削減できる。また、第２の部屋および第３の部屋の出入口において、開閉を容易としつつ、その出入口の幅（有効幅員）を確保できる。
【００１８】
請求項１２記載のトイレユニットによれば、請求項１０又は１１に記載のトイレユニットの奏する効果に加え、コンテナには、コンテナの長手方向一側の妻壁と第２の部屋との間、又は、コンテナの長手方向他側の妻壁と第３の部屋との間の一方に第４の部屋が区画されるので、長尺形状のコンテナ内のスペースを有効活用して、トイレスペースの大きさを確保しやすくできる。また、コンテナは、第４の部屋を区画する側の妻壁が開閉可能とされるので、コンテナに既存の開閉部（積み込み口）を第４の部屋の出入口とでき、コストを削減できる。
【００１９】
請求項１３記載のトイレユニットによれば、請求項１から１２のいずれかに記載のトイレユニットの奏する効果に加え、コンテナには、太陽光パネルが支持ブラケットを介して上面に配設され、支持ブラケットがコンテナに着脱可能に構成されるので、太陽光パネルを取り外した状態でコンテナを搬送できる。
【００２０】
請求項１４記載のトイレユニットによれば、請求項１３記載のトイレユニットの奏する効果に加え、太陽光パネル及び支持ブラケットがコンテナに収納可能とされるので、コンテナと同時に搬送することができ、太陽光パネル及び支持ブラケットをコンテナとは別に搬送することを不要とできる。
【００２１】
請求項１５記載のトイレユニットによれば、請求項１から１４のいずれかに記載のトイレユニットの奏する効果に加え、コンテナの内壁面には、ウレタンが吹き付け施工されるので、気密性、防音効果、断熱効果を高めることができる。
【００２２】
請求項１６記載のトイレユニットによれば、請求項１から１５のいずれかに記載のトイレユニットの奏する効果に加え、コンテナの内壁面には、鋼材が縦および横に沿って配設されるので、コンテナの強度を確保することができる。
【００２３】
請求項１７記載のトイレユニットによれば、請求項１から１６のいずれかに記載のトイレユニットの奏する効果に加え、コンテナには、コンテナの内部の天井、壁、及び、床を形成する内装材が配設され、コンテナの内壁面と内装材との間に断熱材が配設されるので、断熱効果を高めることができる。
【００２４】
請求項１８記載のトイレユニットによれば、請求項１から１７のいずれかに記載のトイレユニットの奏する効果に加え、トイレスペースへ給水する水を貯留する受水槽と、トイレスペースから排出される排水を浄化する浄化槽とを備え、それら受水槽と浄化槽とが第２のコンテナに配設されるので、トイレスペースの大きさを確保しつつ、上下水設備がない場所でもトイレユニット１の使用（オフグリッド化）を可能とできる。
【００２５】
請求項１９記載のトイレユニットによれば、請求項１８記載のトイレユニットの奏する効果に加え、受水槽からトイレスペースへ水を給水する給水管と、トイレスペースから浄化槽へ水を排出する排出管とは、複数の管を接続して構成され、第２のコンテナの側壁の外面には、凹部が凹設され、管どうしの接続部分が凹部の凹設空間内に位置するので、コンテナの外壁面から突出する管が、コンテナの搬送時に破損することを抑制できる。
【００２６】
請求項２０記載のトイレユニットによれば、請求項１８又は１９に記載のトイレユニットの奏する効果に加え、第２のコンテナには、上面が開放して形成され浄化槽が収納される枠体が配設され、浄化槽と枠体との間に発泡体が充填されるので、コンテナの搬送時に浄化槽が破損することを抑制できる。
【００２７】
請求項２１記載のトイレユニットによれば、請求項２０記載のトイレユニットの奏する効果に加え、枠体の収納深さは、浄化槽の高さ寸法よりも低くされ、浄化槽の少なくとも上面側が発泡体から露出されているので、浄化槽の上面の蓋を開閉できる。よって、浄化槽の内部の点検や清掃を行うことができる。
【００２８】
請求項２２記載のトイレユニットによれば、請求項２０又は２１に記載のトイレユニットの奏する効果に加え、枠体には、枠体の底面に一端および他端が連結されるベルトが配設され、ベルトの一端および他端の間が浄化槽の上面に架設されるので、ベルトの柔軟性を利用して、浄化槽の破損を抑制しつつ、固定強度の向上を図ることができる。
【００２９】
請求項２３記載のトイレユニットによれば、請求項２２記載のトイレユニットの奏する効果に加え、ベルトは、ラチェット式のタイダウンにより構成されるので、固定作業を容易に行うことができると共に、適切な荷重で固定できる。
【００３０】
請求項２４記載のトイレユニットによれば、請求項１から２３のいずれかに記載のトイレユニットの奏する効果に加え、コンテナは、海上コンテナであるので、トイレスペースの大きさを確保しやすくできる。また、海外への搬送にも対応することができる。
【図面の簡単な説明】
【００３１】
【図１】本考案の一実施形態におけるトイレユニットの断面模式図である。
【図２】（ａ）は、コンテナの部分拡大断面図であり、（ｂ）は、合併浄化槽の固定構造の断面図である。
【図３】トイレユニットの部分拡大斜視図である。
【考案を実施するための形態】
【００３２】
以下、本考案の好ましい実施の形態について、添付図面を参照して説明する。まず、図１を参照して、本考案の一実施形態におけるトイレユニット１の全体構成について説明する。図１は、本考案の一実施形態におけるトイレユニット１の断面模式図である。なお、図１では、閉じた状態の中折れ戸１３５が実線により、開いた状態の中折れ戸１３５が二点鎖線により、それぞれ図示される。
【００３３】
図１に示すように、トイレユニット１は、鋼材から箱状に形成されるコンテナ１００，２００を備え、その内部に腰掛便器１３等の各種機器が配設される。本実施形態では、コンテナ１００，２００が規格化された海上コンテナ（長さ２０フィート、幅８フィート）とされ、船舶、車両、鉄道等による搬送を容易に行い得るように構成される。
【００３４】
コンテナ１００は、その長手方向（図１左右方向）に所定間隔を隔てて３箇所に区画壁１３１〜１３３が配設されることで、長手方向に並ぶ４つのスペース（空間）に区画される。即ち、コンテナ１００には、通路Ｓ１と、その通路Ｓ１をコンテナ１００の長手方向に挟んで位置するトイレスペースＳ２，Ｓ３と、トイレスペースＳ３に隣接する機械室Ｓ４とに区画される。
【００３５】
通路Ｓ１及びトイレスペースＳ２，Ｓ３は、床面がフラット（面一）に形成されると共に有効幅員および車いすの回転スペースが確保され、車いすで利用可能な大きさに形成される。本実施形態では、通路Ｓ１の有効幅員が８５ｃｍに、トイレスペースＳ２，Ｓ３の回転スペースが直径１５５ｃｍに、それぞれ設定される。
【００３６】
通路Ｓ１には、手洗い器１１が配設され、トイレスペースＳ２，Ｓ３には、洗浄台１２と、腰掛便器１３と、手摺１４，１５と、ベビーチェア１６と、チェンジボード１７と、ベビーシート１８とが配設される。
【００３７】
洗浄台１２は、オストメイト対応トイレ用の洗浄台として構成される。具体的には、洗浄台１２は、温水シャワー、手洗い器、手の乾燥機、及び、姿見用鏡を備え、便や尿を流すことができる構造とされる。また、洗浄台１２には、補装具や附属品を置く棚が配設される。
【００３８】
手摺１４，１５は、腰掛便器１３の便座に腰掛けた状態と車いすに乗車した状態の双方から手が届く位置に配設されるので、車いすで利用する際の利便性を向上できる。また、手摺１４は、跳ね上げ式の可動手摺として構成されるので、手摺１４を跳ね上げておくことで、車いすの移動や介助の際に必要なスペースを確保しやすくできる。
【００３９】
ベビーチェア１６、チェンジボード１７、及び、ベビーシート１８は、折りたたみ式とされる。よって、これらを折りたたむことで、車いすの移動や介助の際に必要なスペースを確保しやすくできる。
【００４０】
なお、手摺１４を跳ね上げると共に、ベビーチェア１６と、チェンジボード１７と、ベビーシート１８を折りたたむことで、上述した車いすの回転スペースを直径１５５ｃｍよりも大きくできる。
【００４１】
コンテナ１００の側壁１１２には、開口（図示せず）が形成され、その開口には、ガラス窓（図示せず）が配設され。これにより、通路Ｓ１及びトイレスペースＳ２，Ｓ３の採光を確保できる。
【００４２】
通路Ｓ１は、コンテナ１００の短手方向（図１上下方向）に長い平面視長方形状の空間に、トイレスペースＳ２，Ｓ３は、平面視略正方形状の空間に、機械室Ｓ４は、通路Ｓ１よりも幅（図１左右方向寸法）が小さい平面視長方形状の空間に、それぞれ形成される。
【００４３】
このように、本実施形態では、平面視長尺形状のコンテナ１００をその長手方向において複数に区画したので、コンテナ１００内のスペースを有効活用して、トイレスペースＳ２，Ｓ３の大きさを確保しやすくできる。
【００４４】
コンテナ１００の側壁１１２には、通路Ｓ１の一端側（図１下側）に対応する位置に出入口が形成され、その出入口を介して通路Ｓ１が外部に連通されると共に、通路Ｓ１を介して、トイレスペースＳ２，Ｓ３に出入りするように構成される。これにより、コンテナ１００の出入口を１箇所として、製品コストを削減できる。
【００４５】
コンテナ１００の出入口を開閉するドア１３４は、コンテナ１００の長手方向をスライド方向とするスライドドアとして構成される。これにより、開放したドア１３４が出入りの際の邪魔になることを回避できる。よって、車いすを利用する者に対して特に有効となる。
【００４６】
区画壁１３１，１３２には、中折れ戸１３５が配設される。即ち、通路Ｓ１とトイレスペースＳ２，Ｓ３との間の出入口は、中折れ戸１３５により開閉される。これにより、開閉を容易としつつ、その出入口の幅（有効幅員）を確保できる。よって、車いすを利用する者に対して特に有効となる。なお、本実施形態では、中折れ戸１３５を開いた際の出入口の幅（有効幅員）が８５ｃｍとされる。
【００４７】
コンテナ１００は、妻壁１１１の一方が積み込み口とされ（即ち、一方の妻壁１１１が開閉可能に構成され）、本実施例では、機械室Ｓ４を区画する側の妻壁１１１（図１左側の壁）が積み込み口（開閉可能）とされる。これにより、コンテナ１００に既存の開閉部（積み込み口）を利用して機械室の出入口とでき、出入口を別途設ける必要がない。よって、その分、製品コストを削減できる。
【００４８】
機械室Ｓ４には、オフグリッド用のバッテリー１９の他、太陽光パネル１７０、各ポンプ５６，５７、各種電装品（エアコン、照明、換気性等、図示せず）を制御する制御盤等（図示せず）が配設される。また、機械室Ｓ４は、トイレユニット１を搬送する際に取り外した太陽光パネル１７０等の部品を収納する収納室としても使用される。この場合、妻壁１１１は、ほぼ全面が開放されるので、収納する部品が大型である場合でも、その部品の機械室への出し入れを行いやすくできる。
【００４９】
コンテナ２００には、水を貯留する受水槽３０と、排水を浄化する合併浄化槽４０とが配設される。受水槽３０に貯留される水は、給水ポンプ５６により吸引され、給水管５１を介して、トイレスペースＳ２，Ｓ３に配設される洗浄台１２及び腰掛便器１３に給水される。洗浄台１２及び腰掛便器１３から排出される排水は、排水ポンプ５７により吸引され、排出管５２を介して、合併浄化槽４０へ排出される。
【００５０】
このように、受水槽３０及び合併浄化槽４０を備えると共に、これらがコンテナ１００とは別のコンテナ２００に配設されるので、トイレスペースＳ２，Ｓ３の大きさを確保しつつ、上下水設備がない場所でもトイレユニット１の使用（オフグリッド化）を可能とできる。
【００５１】
受水槽３０への水の補充は、補充管５３を介して外部から行われ、受水槽３０の貯留量を超えた水は、オーバーフロー管５４を介して外部に排出される。また、合併浄化槽４０で浄化された水は、導出管５５を介して外部に導出される（抜き取られる）。
【００５２】
コンテナ２００の側壁２１２の外面には、凹部２１２ａが凹設され、正面視略矩形の凹設空間が形成される。補充管５３、オーバーフロー管５４、及び、導出管５５の一端（受水槽３０、合併浄化槽４０に接続される側と反対側の端部）５３ａ〜５５ａは、凹部２１２ａの凹設空間に位置される。また、給水管５１及び排出管５２は、複数の管を接続して（複数の管を繋ぎ合わせて）構成され、複数の管どうしの接続する（繋ぎ合わせる）部分となる端部５１ａ，５２ａが凹部２１２ａの凹設空間に位置される。
【００５３】
即ち、各管５１〜５５は、コンテナ２００の凹部２１２ａの凹設底面から突出される部分（端部５１ａ，５２ａ及び一端５３ａ〜５５ａ）が、凹部２１２ａの凹設空間に収まる長さ（コンテナ２００の側壁２１２の外面よりも外方へ突出されない長さ）に形成され、各管５１〜５５の端部５１ａ，５２ａ及び一端５３ａ〜５５ａが他の物体と干渉することを抑制できる。これにより、コンテナ２００の搬送時に各管５１〜５５の端部５１ａ，５２ａ及び一端５３ａ〜５５ａが破損することを抑制できる。
【００５４】
なお、コンテナ１００の側壁１１２の外面にも凹部（図示せず）が凹設されており、コンテナ１００側の給水管５１及び排出管５２（コンテナ１００側の設備に接続される管）の端部（図示せず）がコンテナ１００側の凹部の凹設空間に位置される。
【００５５】
次いで、図２（ａ）を参照して、コンテナ１００の壁部の構造について説明する。図２（ａ）は、コンテナ１００の部分拡大断面図である。
【００５６】
図２（ａ）に示すように、コンテナ１００の妻壁１１１、側壁１１２、及び、天井壁（図示せず）の内壁面には、ウレタンが吹き付け施工される。これにより、コンテナ１００（トイレスペースＳ２，Ｓ３）の気密性、防音効果、断熱効果を高めることができる。
【００５７】
コンテナ１００の妻壁１１１及び側壁１１２の内壁面には、鋼材１２０が縦（上下方向、図２（ａ）上下方向）及び横（水平方向、図２（ａ）紙面垂直方向）に沿って溶接により配設される。これにより、コンテナ１００の強度を確保することができる。コンテナ１００には、出入口や開口が形成されるので、強度の確保が有効となる。
【００５８】
コンテナ１００の内部には、天井および壁を形成する内装材１４０と、床を形成する床材１６０とが配設される。また、コンテナ１００には、その妻壁１１１、側壁１１２、及び、天井壁（図示せず）と内装材１４０との間に断熱材１５０が配設される。これにより、コンテナ１００の断熱効果を高めることができる。
【００５９】
床材１６０は、コンテナ１００の底壁１１３から嵩上げされており、底壁１１３と床材１６０との間の空間に、給水管５１及び排出管５２を配管可能とされる。
【００６０】
次いで、図２（ｂ）を参照して、合併浄化槽４０の固定構造について説明する。図２（ｂ）は、合併浄化槽４０の固定構造の断面図である。
【００６１】
図２（ｂ）に示すように、コンテナ２００には、上面が開放した直方体形状に形成され合併浄化槽４０が収納される枠体６０が配設され、合併浄化槽４０の外面と枠体６０の内面との間に発泡体６１が充填される。これにより、合併浄化槽４０を発泡体６１により保持して、コンテナ２００の搬送時に合併浄化槽４０が破損することを抑制できる。
【００６２】
発泡体６１は、ポリスチレン、ポリウレタン、ポリエチレン等を原料とした発泡プラスチック材であり、合成樹脂中にガスが細かく分散され、発泡状（多孔質形状）に形成される。
【００６３】
本実施形態では、枠体６０が、鋼材を縦横の格子状に連結した構造体（格子）により底壁および側壁の５面が形成され、それら５面の内面側にベニヤ板６２が配設されることで、発泡体６１が漏れないようにされる。これにより、枠体６０を軽量化できる。
【００６４】
枠体６０の収納深さ（発泡体６１を充填可能な深さ）は、合併浄化槽４０の高さ寸法よりも低くされ、合併浄化槽４０の少なくとも上面側が発泡体から露出されている。これにより、合併浄化槽４０の上面の蓋４１を開閉でき、合併浄化槽４０の内部の点検や清掃を行うことができる。
【００６５】
枠体６０には、タイダウン７０が配設され、このタイダウン７０によっても、合併浄化槽４０が枠体６０に固定される。即ち、タイダウン７０は、枠体６０の底面に一端および他端が連結され、それら一端および他端の間のベルト７１が合併浄化槽４０の上面に架設される。これにより、ベルト７１の柔軟性を利用して、合併浄化槽４０の破損を抑制しつつ、合併浄化槽４０の固定強度の向上を図ることができる。なお、本実施形態では、ベルト７１がナイロン繊維製とされる。
【００６６】
タイダウン７０は、ベルト７１が巻回されたバックルに取り付けられたハンドル７２を往復動作させることでベルト７１の長さを短くして、対象物をベルト７１により締め付けるラチェット式として構成されるので、固定作業を容易（短時間）に行うことができると共に、適切な荷重（固定に必要な十分な荷重）で固定できる。また、合併浄化槽４０の寸法にばらつきがあっても、その寸法ばらつきを吸収して、適切な荷重で固定できる。
【００６７】
次いで、図３を参照して、太陽光パネル１７０及びスロープ３００について説明する。図３は、トイレユニット１の部分拡大斜視図である。
【００６８】
図３に示すように、トイレユニット１は、コンテナ１００の側壁１１２に出入口が形成され、その出入口は、床材１６０が嵩上げされていることで（図２（ａ）参照）、地上面よりも高い位置に配設される。この場合、トイレユニット１には、出入口と地上面との間を接続するスロープ３００が、コンテナ１００の長手方向に沿って側壁１１２に併設される。これにより、スロープ３００の長さを確保して、車いすでの出入りを容易とできると共に、スロープ３００を含むトイレユニット１の平面視形状における外形を小さく、一定のスペース内に複数のトイレユニット１をより多く配設できる。
【００６９】
コンテナ１００の上面には、太陽光パネル１７０が支持ブラケット１８０を介して配設される。太陽光パネル１７０により発電された電力は、バッテリー１９に充電され、各ポンプ５６，５７、各種電装品（エアコン、照明、換気性等、図示せず）を作動させる。即ち、太陽光パネル１７０により電力が自給可能とされる。
【００７０】
支持ブラケット１８０は、太陽光パネル１７０の外縁がボルトにより締結固定される角柱状の架設部材１８１と、その架設部材１８１の両端に連結されると共にコンテナ１００にボルトにより締結固定される断面Ｌ字状の固定部材１８２とを備え、固定部材１８２のボルトを緩めることで、コンテナ１００から太陽光パネル１７０を取り外しことができる。これにより、太陽光パネル１７０を取り外した状態でコンテナ１００を搬送できる。よって、複数のコンテナ１００を搬送する際には、これらコンテナ１００を上下に積み重ねることができる。
【００７１】
取り外された太陽光パネル１７０及び支持ブラケット１８０は、コンテナ１００（機械室Ｓ４）に収納可能とされる。これにより、太陽光パネル１７０及び支持ブラケット１８０をコンテナ１００と同時に搬送することができ、コンテナ１００とは別に搬送することを不要とできる。なお、架設部材１８１のボルトを緩めることで、太陽光パネル１７０と支持ブラケット１８０とを分離することができる。これにより、作業性（太陽光パネル１７０及び支持ブラケット１８０の搬送作業やこれらの機械室Ｓ４への収納作業）を向上できる。
【００７２】
図１に戻って説明する。トイレユニット１は、工場等で図１に示す状態に製造された後、被災地等へ搬送され、設置される。なお、搬送時には、給水管５１及び排出管５２が、コンテナ１００側の管と、コンテナ２００側の管と、それらを接続する管（接続管）とに分割され、接続管は排出ポンプ５７、太陽光パネル１７０及び支持ブラケット１８０と共に機械室Ｓ４に収納される。
【００７３】
以上、上記実施形態に基づき本考案を説明したが、本考案は上記実施形態に何ら限定されるものではなく、本考案の趣旨を逸脱しない範囲内で種々の改良変形が可能であることは容易に推察できるものである。
【００７４】
上記実施形態で説明した数値（例えば、コンテナの寸法、有効幅員、回転スペースなど）は一例を例示するものであり、他の数値を適宜採用することは当然可能である。
【００７５】
上記実施形態では説明を省略したが、通路Ｓ１にはエアコンが配設される。これに代えて、又は、これに加えて、トイレスペースＳ２，Ｓ３、機械室Ｓ４の一方または両方にエアコンを配設しても良い。
【００７６】
上記実施形態では、トイレユニット１がコンテナ１００とコンテナ２００とを備える場合を説明したが、トイレユニット１がコンテナ１００のみを備えていても良い。上下水設備が利用できる場合に有効となる。
【００７７】
上記実施形態では、凹部２１２ａをコンテナ２００の側壁２１２に凹設する場合を説明したが、これに代えて、又は、これに加えて、凹部２１２ａをコンテナ１００の妻壁に凹設しても良い。コンテナ１００においても同様であり、凹部を妻壁１１１に配設しても良い。
【００７８】
上記実施形態では、トイレスペースＳ２，Ｓ３に腰掛便器１３を配設する場合を説明したが、これに加えて小便器を配設しても良い。また、トイレスペースＳ２，Ｓ３の一方には、腰掛便器１３を配設し、他方には、腰掛便器１３に代えて１又は複数の小便器を配設するようにしても良い。この場合には、小便器以外の構成（例えば、洗浄台１２等）を省略しても良い。
【００７９】
上記実施形態では、外部から補充管５３を介して受水槽３０に水を補充し、合併浄化槽４０で浄化された水を導出管５５を介して外部へ導出する場合を説明したが、合併浄化槽４０で浄化された水を浄化槽３０へ補充するようにしても良い。即ち、トイレユニット１内で水を循環させても良い。
【符号の説明】
【００８０】
１              トイレユニット
１３            腰掛便器
１４            手摺（可動手摺）
１５            手摺
１６            ベビーチェア
１７            チェンジボード
１８            ベビーシート
３０            受水槽
４０            合併浄化槽（浄化槽）
５１            給水管
５２            排出管
５１ａ，５２ａ  端部（接続部分）
６０            枠体
６１            発泡体
７０            タイダウン
７１            ベルト
１００          コンテナ
１１１          妻壁
１１２          側壁
１２０          鋼材
１３１〜１３３  区画壁
１３４          ドア（スライドドア）
１３５          中折れ戸
１４０          内装材
１５０          断熱材
１６０          床材（内装材）
１７０          太陽光パネル
１８０          支持ブラケット
２００          コンテナ（第２のコンテナ）
２１２          側壁
２１２ａ        凹部
３００          スロープ
Ｓ１            通路（第１の部屋）
Ｓ２，Ｓ３      トイレスペース（第２の部屋、第３の部屋）
Ｓ４            機械室（第４の部屋）
【図１】
0003228869.tif 000003
【図２】
0003228869.tif 000004
【図３】
0003228869.tif 000005